(57)【要約】【課題】  相異なる通信モードを支援するデュアルモードモデムの統合セル探索器を提供する。【解決手段】  非同期式モードでのセル探索のために第１コードを生成する第１コード生成器と、同期式モードでのセル探索のために第２コードを生成する第２コード生成器と、前記第１コード及び前記第２コードを受信し、モード選択信号に応答して前記第１コードと前記第２コードのうちいずれか１つを選択的に出力する信号選択部と、それぞれで基地局から入力されるコードと前記選択されたコードとを受信して相関して出力する多数の相関器とを備えることを特徴とする統合セル探索器である。よって、本発明による統合セル探索器は１つのセル探索器を利用して異なる通信モードでのセル探索動作を行えるようにすることで、デュアルモードモデムのチップサイズを小さくでき、チップサイズの縮小で探索時間及び速度を向上させられる。【選択図】      図４
2004254326.tif 000002
【特許請求の範囲】
【請求項１】
非同期式モードでのセル探索のために第１コードを生成する第１コード生成器と、
同期式モードでのセル探索のために第２コードを生成する第２コード生成器と、
前記第１コード及び前記第２コードを受信し、モード選択信号に応答して前記第１コードと前記第２コードのうちいずれか１つを選択的に出力する信号選択部と、
基地局から入力されるコードと前記選択されたコードとをそれぞれ受信して相関させて出力する多数の相関器とを備えることを特徴とする統合セル探索器。
【請求項２】
前記第１コード、前記第２コード、及び前記基地局から入力されるコードはＰＮコードであることを特徴とする請求項１に記載の統合セル探索器。
【請求項３】
前記相関器が、
前記基地局から受信されたコード及び前記信号選択部の出力コードをディスプレッドして出力する逆拡散器と、
前記逆拡散器の出力信号を受信して所定のクロックに同期させ、前記逆拡散器の出力信号を累積して合算し、その結果を保存する同期累積レジスタと、
前記同期累積レジスタの出力信号をエネルギー信号に変換するエネルギー変換器と、
前記エネルギー変換器の出力信号を累積して合算し、その結果を保存する非同期累積レジスタとを備えることを特徴とする請求項１に記載の統合セル探索器。
【請求項４】
前記統合セル探索器は、
前記相関器から相関結果を受信し、前記選択されたコードのうち前記基地局から受信したコードとの相関度が最も高いコードを検出するピーク感知部をさらに備えることを特徴とする請求項１に記載の統合セル探索器。
【請求項５】
第１通信モードでのセル探索のために第１コードを生成する第１コード生成器と、
第２通信モードでのセル探索のために第２コードを生成する第２コード生成器と、
前記第１コード及び前記第２コードを受信してバッファリングし、モード選択信号に応答して前記第１コードまたは前記第２コードを選択的に出力する信号選択部と、
基地局から入力されるコードと前記選択されたコードとをそれぞれ受信して相関して出力する多数の相関器とを備えることを特徴とする統合セル探索器。
【請求項６】
前記第１コード、前記第２コード、及び前記基地局から入力されるコードはＰＮコードであることを特徴とする請求項５に記載の統合セル探索器。
【請求項７】
前記第１通信モードは、
ＵＴＭＳＣに該当し、前記第２通信モードはＣＤＭＡに該当することを特徴とする請求項５に記載の統合セル探索器。
【請求項８】
前記多数の相関器は、
前記信号選択部によって選択された前記第１コードまたは前記第２コードにより、第１通信モードでのセル探索または第２通信モードでのセル探索を選択的に行うことを特徴とする請求項５に記載の統合セル探索器。
【請求項９】
前記信号選択部は
前記第１コードをシリアルに受信してバッファリングする多数のＮビットレジスタと、
前記Ｎビットレジスタに保存された前記第１コードを所定のクロックに同期させて直列に出力する多数のマルチプレクサと、
前記第１コード及び前記第２コードを受信し、前記モード選択信号に応答して前記第１コードまたは前記第２コードを選択的に出力する選択器とを備えることを特徴とする請求項５に記載の統合セル探索器。
【請求項１０】
前記クロックは、
前記統合セル探索器で使われる標準クロックのクロック周波数のＮ倍のクロック周波数を有することを特徴とする請求項９に記載の統合セル探索器。
【請求項１１】
前記相関器が、
前記基地局から受信されたコード及び前記信号選択部の出力信号をディスプレッドして出力する逆拡散器と、
前記逆拡散器の出力信号を受信して所定のクロックに同期させ、前記逆拡散器の出力信号を累積して合算し、その結果を保存する同期累積レジスタ部と、
前記同期累積レジスタ部の出力信号をエネルギー信号に変換するエネルギー変換器と、
前記エネルギー変換器の出力信号を累積して合算し、その結果を保存する非同期累積レジスタ部とを備えることを特徴とする請求項５に記載の統合セル探索器。
【請求項１２】
前記統合セル探索器は、
前記相関器から相関結果を受信し、前記選択されたコードのうち前記基地局から受信したコードと相関度が最も高いコードとを検出するピーク感知部をさらに備えることを特徴とする請求項５に記載の統合セル探索器。
【請求項１３】
第１及び第２通信モードをいずれも支援するデュアルモードモデムにおいて、
第１通信モードセル探索過程に使われる第１ＰＮコードを生成する第１生成コード手段と、
第２通信モードセル探索過程に使われる第２ＰＮコードを生成する第２コード生成手段と、
モード選択信号に応答して前記第１ＰＮコードまたは前記第２ＰＮコードを選択的に出力するＰＮ選択手段と、
基地局から受信されたコード信号と前記選択されたＰＮコードとを相関してその相関度を計算する相関器手段とを備えることを特徴とする統合セル探索器。
【請求項１４】
第１モードでのセル探索のために第１コードを生成する段階と、
第２モードでのセル探索のために第２コードを生成する段階と、
モード選択信号に応答して前記第１コードまたは前記第２コードを選択的に出力する段階と、
基地局から入力されるコードと前記選択されたコードとを受信して相関する段階とを備えることを特徴とするデュアルモードモデムのセル探索方法。
【請求項１５】
前記相関段階は、
前記基地局から受信されたコード及び前記選択されたコードをディスプレッドする段階と、
所定のクロックに同期させ、前記ディスプレッド結果を第１累積合算し、その結果を保存する段階と、
前記累積合算結果をエネルギー信号に変換する段階と、
前記変換されたエネルギー信号を第２累積合算する段階と、
前記第２累積合算結果を保存する段階とを備えることを特徴とする請求項１４に記載のデュアルモードモデムのセル探索方法。
【請求項１６】
前記セル探索方法は、
前記相関結果を利用し、前記選択されたコードのうち前記基地局から受信したコードと相関度が最も高いコードとを検出する段階と、
前記検出結果を出力する段階とをさらに備えることを特徴とする請求項１４に記載のデュアルモードモデムのセル探索方法。
【請求項１７】
前記第１コード、前記第２コード、及び前記基地局から入力されるコードはＰＮコードであることを特徴とする請求項１４に記載のデュアルモードモデムのセル探索方法。
【請求項１８】
前記第１モードは、
非同期式モードであり、前記第２モードは同期式モードであることを特徴とする請求項１４に記載のデュアルモードモデムのセル探索方法。
【請求項１９】
前記第１通信モードは、
ＵＴＭＳＣに該当し、前記第２通信モードはＣＤＭＡに該当することを特徴とする請求項１４に記載のデュアルモードモデムのセル探索方法。
【発明の詳細な説明】
【技術分野】
【０００１】
本発明はデジタル移動通信に係り、特に２種の通信モードを支援するデュアルモードモデムの統合セル探索器に関する。
【背景技術】
【０００２】
３世代移動通信の商用化を控え、さまざまな通信方式を支援する端末機の必要性が叫ばれてきている。特に、２種の異なる通信方式を支援するデュアルモード端末機モデムの場合には、２種の通信方式が相異なるためにそれぞれの通信方式を支援する周辺機器が１つの端末機のうちに存在しなければならない。
【０００３】
モデムにおいて、セル探索器は３世代移動通信の核心的な部分のうちの１つであり、もし２種の異なる通信方式を支援するデュアルモードを支援する端末機モデムの場合、相異なる通信方式のゆえにそれぞれ独立的なセル探索器が存在しなければならない。デュアルモードを支援する端末機モデムで、１つの統合セル探索器だけを使用できるならば、具現されるチップの面積が顕著に小さくなるだけではなく、探索速度の側面でも改善された効果を得られるために、統合されたセル探索器の具現が切実に要求される。
【０００４】
図１は汎用移動通信システムの３段階セル探索器の構造を示した図面である。汎用移動通信システム（Ｕｎｉｖｅｒｓａｌ Ｍｏｂｉｌｅ Ｔｅｌｅｃｏｍｍｕｎｉｃａｔｉｏｎｓ Ｓｙｓｔｅｍｓ：ＵＭＴＳ）でのセル探索器は３段階に分かれ、１段階と２段階のセル探索器は基地局のＰＮ（ＰｓｅｕｄｏＮｏｉｓｅ）コードがいずれのグループのＰＮコードに属するかを把握するためのものであり、ＰＮコードのグループが決定された後で図１に図示された３段階のセル探索器１００によって正確なＰＮコードが見つけられる。
【０００５】
図１のセル探索器１００はＵＭＴＳコード生成器１１、入力制御部１２、多数の相関器１３１，…，１３８；１４９，…，１５６、受信部１５及びピーク感知部１６を備える。図１では、８つの相関器が１つの相関器バンクをなす。図１で、相関器１３１，…，１３８が第１相関器バンク１３をなし、相関器１４９，…，１５６が第２相関器バンク１４をなす。
【０００６】
ＵＭＴＳコード生成器１１は第２段階のセル探索過程によって得たコードグループに該当する１６個のコードを生成する。入力制御部１２はＵＭＴＳコード生成器１１の出力を入力され、ＵＭＴＳコード生成器１１の出力を相関器１３１，…，１３８；１４９，…，１５６に出力する。
【０００７】
受信部１５は基地局から所定の信号Ｒｘを受信してこれを相関器１３１，…，１３８；１４９，…，１５６に出力する。受信部１５から相関器１３１，…，１３８；１４９，…，１５６に出力される信号はいずれも同じ信号である。すなわち、同じ信号が並列にそれぞれの相関器に出力される。
【０００８】
相関器１３１，…，１３８；１４９，…，１５６は入力制御部１２の出力信号及び受信部１５の出力信号を受信して相関し、その結果をピーク感知部１６に出力する。ピーク感知部１６は相関器１３１，…，１３８；１４９，…，１５６の出力信号から、生成されたコードと基地局から入力されたコードとの相関度が大きいコードを検出してその結果ＯＵＴを出力する。
【０００９】
ピーク感知部１６は相関器バンク１３，１４単位とし、例えば８つの相関器の出力信号のうち相関度の高いコードを検出できもし、全体相関器の出力信号のうち相関度の高いコードを検出することもできる。従って、８つのコードを単位に相関度を検出するためには、チップが動作するクロックと同じ速度のクロックを使用する時、最小８つの相関器が必要になり、図１の場合に８つの相関器が集まってなる相関器バンクが２つ存在するので、１６個のコードに対してセル探索をできる。
【００１０】
図２はＵＭＴＳの多重経路探索器の構造を示した図面である。図２の多重経路探索器２００は図１と同様にＵＭＴＳコード生成器１１、入力制御部１２、受信部１５、ピーク感知部１６を備える。併せて、図２の多重経路探索器２００は多数の相関器２３１，２３２；２４１，２４２を備える。
【００１１】
図２の多重経路探索器２００が図１の第３段階セル探索器１００と異なる点は次の通りである。端末機は現在自身が属したセルから隣接セルに関する情報を得るようになる場合があるが、隣接セル情報は隣接セルのスクランブルリングコード番号、現在セルとの時間差及び送受信多重化採択いかんを含んでいる。図１のような多重経路探索器を採択できる場合は隣接セル情報が提供され、提供される情報が隣接セルのスクランブルリングコード番号と現在セルとの時間差を含む場合、多重経路探索器を採択できる。従い、第３段階セル探索器と異なる点は基地局のＰＮコードをあらかじめ知っており、アクティブセットに属するセル及び隣接セル探索でハンドオーバの可能性があると発見されたセルを順番にウインドウベース探索を行うことが、多重経路探索器と第３段階セル探索との差異点である。多重経路探索器は全てのセルに対して順番に探索を行った後、フィンガ再割当て及びパイロットリポーティングを計算することが目的である。
【００１２】
図２で、相関器Ａ１ ２３１と相関器Ａ２ ２３２とがそれぞれＯｎ Ｔｉｍｅ相関器、Ｌａｔｅ Ｔｉｍｅ相関器になり、チップレートの２倍の解像度で探索できるこの２つの相関器が１対をなして相関度を検出する。すなわち、この時はチップが動作するクロックに８倍速いクロックを使用してセルを探索する。
【００１３】
図３は同期式コード分割多重接続（ＣＤＭＡ（Ｃｏｄｅ Ｄｉｖｉｓｉｏｎ Ｍｕｌｔｉｐｌｅ Ａｃｃｅｓｓ）２０００）システムのセル探索器の構造を示した図面である。図３に図示されたように、同期式コード分割多重接続システムのセル探索器３００はＣＤＭＡ２０００コード生成器３１、入力制御部３２、受信部３５、ピーク感知部３６及び多数の相関器３３１，３３２；３４１，３４２を備える。
【００１４】
図３のセル探索器３００の相関器は図２に図示された相関器と同様に、２つの相関器が１対をなしてＯｎ Ｔｉｍｅ／Ｌａｔｅ Ｔｉｍｅ相関器を形成し、その動作は図２に図示された多重経路探索器２００のそれと似ている。すなわち、図３のセル探索器３００はＣＤＭＡ２０００コード生成器３１を除外すれば相関器の構造や相関度を計算する方式が図２の多重経路探索器２００と似ていると言える。
【００１５】
すなわち、図１ないし図３から、異なる通信方式を使用するモデムのセル探索器の構造または作動方式に類似した点がある。従って、それらを利用して非同期式（ＵＭＴＳ）方式と同期式（ＣＤＭＡ２０００）方式とをいずれも支援するデュアルモードモデムの統合セル探索器の具現が要求される。
【発明の開示】
【発明が解決しようとする課題】
【００１６】
本発明がなそうとする技術的課題は、相異なる通信モードを支援するデュアルモードモデムの統合セル探索器を提供するところにある。
本発明がなそうとする他の技術的課題は、相異なる通信モードを支援するデュアルモードモデムの統合セル探索器を利用したセル探索方法を提供するところにある。
【課題を解決するための手段】
【００１７】
前記技術的課題を達成するための本発明による統合セル探索器は、非同期式モードでのセル探索のために第１コードを生成する第１コード生成器と、同期式モードでのセル探索のために第２コードを生成する第２コード生成器と、前記第１コード及び前記第２コードを受信し、モード選択信号に応答して前記第１コードと前記第２コードのうちいずれか１つを選択的に出力する信号選択部と、それぞれで基地局から入力されるコードと前記選択されたコードとを受信して相関して出力する多数の相関器とを備えることを特徴とする。
【００１８】
前記他の技術的課題を達成するための本発明によるデュアルモードモデムのセル探索方法は、第１モードでのセル探索のために第１コードを生成する段階と、第２モードでのセル探索のために第２コードを生成する段階と、モード選択信号に応答して前記第１コードまたは前記第２コードを選択的に出力する段階と、基地局から入力されるコードと前記選択されたコードとを受信して相関する段階とを備えることを特徴とする。
【発明の効果】
【００１９】
本発明による統合セル探索器は１つのセル探索器を利用して異なる通信モードでのセル探索動作を行えるようにすることで、デュアルモードモデムのチップサイズを小さくでき、チップサイズの縮小で探索時間及び速度を向上させられる。
【発明を実施するための最良の形態】
【００２０】
本発明と本発明の動作上の利点及び本発明の実施によって達成される目的を十分に理解するためには本発明の望ましい実施例を例示する添付図面及び図面に記載された内容を参照せねばならない。
以下、添付した図面を参照して本発明の望ましい実施例を説明することにより、本発明を詳細に説明する。各図面に提示された同じ参照符号は同じ部材を示す。
【００２１】
図４は本発明による統合セル探索器の第１実施例を示した図面である。図４に図示されたセル探索器４００はＵＭＴＳコード生成器４１、ＣＤＭＡ２０００コード生成器４２、モード選択信号ＭＯＤＥ＿ＳＥＬを受信するＰＮ信号選択部４３、相関器４４、基地局から入力信号Ｒｘを受信する受信部４５、及び相関結果を受信して入力信号Ｒｘと最も相関度の高いＰＮコードを示す信号ＯＵＴを出力するピーク感知部４６を備える。
【００２２】
ＵＭＴＳコード生成器４１及びＣＤＭＡ２０００コード生成器４２はそれぞれ該当するモードでのセル探索のために所定のコードを生成する。このようなＵＭＴＳコード生成器４１及びＣＤＭＡ２０００コード生成器４２によって生成されるコードはそれぞれ基地局から受信されるコードとの相関度を計算する過程を含むセル探索を行うために生成される。
【００２３】
ＰＮ信号選択部４３はＵＭＴＳコード生成器４１の出力とＣＤＭＡ２０００コード生成器４２の出力とを入力され、それらのうちいずれか１つの出力コードを相関器４４に出力する。この時、いずれの１出力コードを出力するかはＰＮ信号選択部４３に入力されたモード選択信号ＭＯＤＥ＿ＳＥＬによって決定される。
【００２４】
例えば、モード選択信号ＭＯＤＥ＿ＳＥＬが第１論理状態（例えば、論理ハイ）を有せば、ＰＮ信号選択部４３はＵＭＴＳコード生成器４１の出力信号を出力し、モード選択信号ＭＯＤＥ＿ＳＥＬが第２論理状態（例えば、論理ロー）を有せば、ＰＮ信号選択部４３はＣＤＭＡ２０００コード生成器４２の出力を出力する。
受信部４５は基地局からコードＲｘを受信し、前記コードＲｘを相関器４４に出力する。相関器４４は受信部４５から入力された前記コードＲｘとＰＮ信号選択部４３で選択されたコードとを相関してその結果を出力する。ピーク感知部４６は前記相関結果を受信して
入力信号Ｒｘと最も相関度の高いＰＮコードを示す出力信号ＯＵＴを生成する。
すなわち、本発明によれば、モード選択信号ＭＯＤＥ＿ＳＥＬに応答して非同期式モード（ＵＭＴＳ）と同期式モード（ＣＤＭＡ２０００）のセル探索を選択的にできるという長所がある。
【００２５】
図５は本発明による統合セル探索器の第２実施例を示した図面であり、図６は図５に図示されたＰＮ信号選択部の構造をさらに詳細に示した図面であり、図７は図５に図示された相関器５６Ａ，５６Ｂの構造をさらに詳細に示した図面である。図５に図示されたセル探索器５００は非同期式モード（ＵＭＴＳ）の第３段階のセル探索器の構造を利用し、同期式モード（ＣＤＭＡ２０００）の６４倍速探索を可能に具現した統合セル探索器である。
【００２６】
図５に図示されたセル探索器５００はＵＭＴＳコード生成器５１、ＣＤＭＡ２０００コード生成器５２、ＰＮ信号選択部５３、受信部５４、ピーク感知部５５及び多数の相関器５６Ａ，５６Ｂを備える。また図６に図示されたＰＮ信号選択部５３は互いに直列に連結された多数の８ビットレジスタ５３１Ａ，５３１Ｂ，５３１Ｃ，５３１Ｄ，５３１Ｅ，５３１Ｆ，５３１Ｇ，５３１Ｈ、多数のマルチプレクサ５３２Ａ，５３２Ｂ，５３２Ｃ，５３２Ｄ，５３２Ｅ，５３２Ｆ，５３２Ｇ，５３２Ｈ及び多数の選択器５３３Ａ１，５３３Ａ２，５３３Ｂ１，５３３Ｂ２，５３３Ｃ１，５３３Ｃ２，５３３Ｄ１，５３３Ｄ２，５３３Ｅ１，５３３Ｅ２，５３３Ｆ１，５３３Ｆ２，５３３Ｇ１，５３３Ｇ２，５３３Ｈ１，５３３Ｈ２を備える。それぞれの連結関係は図６に図示されたようである。図７に図示された相関器５６は逆拡散器７１０、同期累積レジスタ部７２０、エネルギー変換部７３０及び非同期累積レジスタ部７４０を備える。
【００２７】
図５のセル探索器５００の各コード生成器５１，５２、受信部５４及びピーク感知部５５の動作は前述の通りの機能を果たす。以下では、図５ないし図７に図示されたＰＮ信号選択部５３及び相関器５６について説明する。
ＰＮ信号選択部５３はＵＭＴＳコード生成器５１及びＣＤＭＡ２０００コード生成器５２によって生成されたそれぞれのコードを受信し、モード選択信号ＭＯＤＥ＿ＳＥＬに応答してそれらコードのうち選択的に出力する。
【００２８】
図６に図示されたように、ＣＤＭＡ２０００コード生成器５２によって生成されたコードは８ビットレジスタ５３１Ａ，５３１Ｂ，５３１Ｃ，５３１Ｄ，５３１Ｅ，５３１Ｆ，５３１Ｇ，５３１Ｈに順次に入力され、レジスタに保存されたコードはマルチプレクサ５３２Ａ，５３２Ｂ，５３２Ｃ，５３２Ｄ，５３２Ｅ，５３２Ｆ，５３２Ｇ，５３２Ｈを介して１６個の選択器５３３Ａ１，５３３Ａ２，…，５３３Ｈ２に出力される。この時、マルチプレクサ５３２Ａ，５３２Ｂ，５３２Ｃ，５３２Ｄ，５３２Ｅ，５３２Ｆ，５３２Ｇ，５３２Ｈはデュアルモードモデムのためのチップ標準クロック周波数の８倍のクロック周波数で動作することが望ましい。すなわち、８倍の速度でレジスタに保存されたコードを出力する。
【００２９】
ＵＭＴＳコード生成器５１によって生成されたコードは直接１６個の選択器５３３Ａ１，５３３Ａ２，…，５３３Ｈ２に出力される。その後、選択器５３３Ａ１，５３３Ａ２，…，５３３Ｈ２はモード選択信号ＭＯＤＥ＿ＳＥＬに応答してＵＭＴＳコード生成器５１の出力コードまたはマルチプレクサ５３２Ａ〜５３２Ｈを介してＣＤＭＡ２０００コード生成器５２から受信された出力コードを選択的に出力する。
【００３０】
図７の相関器５６で、逆拡散器７１０は基地局から受信されたコードＲｘ＿Ｉ，Ｒｘ＿Ｑ及びＰＮ信号選択部５３の出力信号ＰＮ＿Ｉ，ＰＮ＿Ｑをディスプレッドする。同期累積レジスタ部７２０は加算器７２１Ｉ、加算器７２１Ｉと接続された選択器７２２Ｉ、選択器７２２Ｉとそれぞれ接続された８ビットシフトレジスタ７２３Ｉ、レジスタ７２４Ｉ、８ビットシフトレジスタ７２３Ｉとレジスタ７２４Ｉとの出力端と連結されてその出力が加算器７２１Ｉの入力端とフィードバックされる選択器７２５Ｉを備え、このような構造は対称的に１つさらに備える（７２１Ｑ，７２２Ｑ，７２３Ｑ，７２４Ｑ，７２５Ｑ）。前者はＩ（Ｉｎｐｈａｓｅ）成分、後者はＱ（Ｑｕａｄｒａｔｕｒｅ−ｐｈａｓｅ）成分に対するものである。
【００３１】
それぞれの選択器７２２Ｉ，７２５Ｉ；７２２Ｑ，７２５Ｑはモード選択信号ＭＯＤＥ＿ＳＥＬによって制御される。例えば、モード選択信号ＭＯＤＥ＿ＳＥＬが第１論理状態（例えば、論理ハイ）を有せば、同期累積レジスタ部７２０はＵＭＴＳモードで動作するようになり、レジスタ７２４Ｉ，７２４Ｑに同期累積結果が保存される。また、モード選択信号ＭＯＤＥ＿ＳＥＬが第２論理状態（例えば、論理ロー）を有せば、同期累積レジスタ部７２０はＣＤＭＡ２０００モードで動作するようになり、８ビットシフトレジスタ７２３Ｉ，７２３Ｑに同期累積結果が保存される。
【００３２】
図７に図示されていないが、同期累積レジスタ７２０は所定のクロックに同期されて動作する。
エネルギー変換部７３０は同期累積レジスタ７２０のＩ及びＱ成分の出力を入力されてエネルギー信号に変換する。非同期累積レジスタ７４０は加算器７４１、選択器７４２，７４５、８ビットシフトレジスタ７４３及びレジスタ７４４を備える。非同期累積レジスタ７４０はエネルギー変換部７３０の出力信号を受信してこれを合算し、８ビットシフトレジスタ７４３またはレジスタ７４４に保存する過程を反復する。
【００３３】
図５ないし図７に詳細に図示した本発明の統合セル探索器５００はモード選択信号ＭＯＤＥ＿ＳＥＬの論理状態に従い、選択的にＵＭＴＳモード及びＣＤＭＡ２０００モードでセル探索を行える。このような統合セル探索器を具現するためにＰＮ信号選択部５３と相関器５６の構造は図６及び図７のように具現できる。
【００３４】
図８は本発明による統合セル探索器の第３実施例を示した図面であり、図９は図８に図示された相関器の構造をさらに詳細に示した図面である。図８に図示されたセル探索器８００は非同期式モード（ＵＭＴＳ）の多重経路セル探索器の構造を利用し、同期式モード（ＣＤＭＡ２０００）の１６倍速探索を可能に具現した統合セル探索器である。
【００３５】
図８に図示されたセル探索器８００はＵＭＴＳコード生成器８１、ＣＤＭＡ２０００コード生成器８２、ＰＮ信号選択部８３、受信部８４、ピーク感知部８５及び多数の相関器８６１，８６２；８７１，８７２を備える。相関器８６１，８６２は８倍速で探索する第１相関器部８６を構成し、相関器８７１，８７２は８倍速で探索する第２相関器部８７を構成する。
【００３６】
ＰＮ信号選択部８３は選択器８３１、８ビットシフトレジスタ８３２，８３３、マルチプレクサ８３４，８３５を備える。選択器８３１はモード選択信号ＭＯＤＥ＿ＳＥＬに応答してＵＭＴＳコード生成器８１の出力信号及びＣＤＭＡ２０００コード生成器８２の出力信号のうち１つを選択的に出力する。
【００３７】
シフトレジスタ８３２，８３３は互いに直列に連結され、選択器８３１の出力をそれぞれ保存する。マルチプレクサ８３４はシフトレジスタ８３２に保存された８つのコードを並列に入力され、所定のクロックに同期されて前記コードを直列に出力する。マルチプレクサ８３５はシフトレジスタ８３３に保存された８つのコードを並列に入力され、所定のクロックに同期されて前記コードを直列に出力する。８ビットシフトレジスタを使用するために、使われるクロックはチップが動作するクロックより８倍速いクロックであることが望ましい。
【００３８】
前述のように、ＵＭＴＳモードの多重経路探索器の構造はＣＤＭＡ２０００モードの探索器とその構造が非常に類似した点があった。従って、この２種の探索器を１つの装置で具現するためには図８に図示されたように相関器８６１，８６２；８７１，８７２を共有してＰＮ信号選択部８３のモード選択信号ＭＯＤＥ＿ＳＥＬに従い、ＵＭＴＳモードまたはＣＤＭＡ２０００モードで選択的に動作させることによって具現されうる。
【００３９】
この時の相関器の構造の一例は図９に図示される。図９の相関器８６１は逆拡散器９１０、同期累積レジスタ部９２０、エネルギー変換部９３０及び非同期累積レジスタ部９４０を備える。その機能及び構造は前述の相関器の構造と似ている。ただし、図７に図示された相関器５６とは異なり、相関器８６１の同期累積レジスタ９２０及び非同期累積レジスタ９４０が１つの８ビットシフトレジスタ９２２Ｉを共有するように構成され、各モード別の別途のレジスタ及び選択器が必要でない。
【００４０】
図１０は本発明による統合セル探索器の第４実施例を示した図面である。図１０に図示されたセル探索器１０００はＵＭＴＳコード生成器１１００、ＣＤＭＡ２０００コード生成器１２００、ＰＮ信号選択部１３００、受信部１４００、ピーク検出部１５００及び多数の相関器１６１０，１６２０；１７１０，１７２０を備える。相関器１６１０，１６２０；１７１０，１７２０は図９の相関器８６１と同じ構造である。
【００４１】
図１０に図示されたセル探索器１０００は前述の他のセル探索器に比べ、ＰＮ信号選択部１３００の構造において差がある。すなわち、ＰＮ信号選択部１３００は多数のシフトレジスタ１３１０，１３２０，１３３０，１３４０，１３５０，１３６０、マルチプレクサ１３１１，１３２１，１３３１，１３４１，１３５１，１３６１及び選択器１３１２，１３２２，１３３２，１３４２を備える。
【００４２】
ＵＭＴＳコード生成器１１００によって生成されたコードはシフトレジスタ１３１０，１３２０，１３３０，１３４０に並列に入力される。図１０で、総３２個のコードが４つの８ビットシフトレジスタに並列に入力される。シフトレジスタ１３５０，１３６０は互いに直列に接続され、ＣＤＭＡ２０００コード生成器によって生成されたコードを順次に入力されてこれを保存する。
【００４３】
マルチプレクサ１３１１，１３２１，１３３１，１３４１，１３５１，１３６１は所定のクロックに同期されてシフトレジスタから受信するコードを直列に出力する。そのクロックの速度はチップが動作するクロックの８倍であることが望ましい。選択器１３１２，１３２２，１３３２，１３４２はモード選択信号ＭＯＤＥ＿ＳＥＬの論理状態に従い、ＵＭＴＳコード生成器１１００によって生成されたコードまたはＣＤＭＡ２０００コード生成器１２００によって生成されたコードを選択的に出力する。
【００４４】
本発明によれば、モード選択信号ＭＯＤＥ＿ＳＥＬに応答してＵＭＴＳモード時に３２個の（４個のコードグループ）ＰＮコードを同時に探索できる第３段階探索器で動作し、ＣＤＭＡモード時にＣＤＭＡセル探索器で動作できるようにすることにより、２種の通信モードを支援するデュアルモードモデムにおいて、１つのセル探索器を使用して２種の異なるセル探索動作を行える。
【００４５】
以上のように図面と明細書とに最適実施例が開示された。ここで特定の用語が使われたが、それは単に本発明を説明するための目的に使われたものであり、意味限定や特許請求の範囲に記載された本発明の範囲を制限するために使われたものではない。従って、本技術分野の当業者ならばこれから多様な変形及び均等な他実施例が可能であるという点を理解するであろう。よって、本発明の真の技術的保護範囲は特許請求範囲の技術的思想により決まるものである。
【産業上の利用可能性】
【００４６】
本発明の統合セル探索のためのデュアルモードモデムは、例えばさまざまな通信方式を支援する端末機に効果的に適用可能である。
【図面の簡単な説明】
【００４７】
【図１】汎用移動通信システム（ＵＭＴＳ）の３段階セル探索器の構造を示した図面である。
【図２】汎用移動通信システムの多重経路探索器の構造を示した図面である。
【図３】同期式コード分割多重接続（ＣＤＭＡ２０００）システムのセル探索器の構造を示した図面である。
【図４】本発明による統合セル探索器の第１実施例を示した図面である。
【図５】本発明による統合セル探索器の第２実施例を示した図面である。
【図６】図５に図示されたＰＮ信号選択部の構造をさらに詳細に示した図面である。
【図７】図５に図示された相関器の構造をさらに詳細に示した図面である。
【図８】本発明による統合セル探索器の第３実施例を示した図面である。
【図９】図８に図示された相関器の構造をさらに詳細に示した図面である。
【図１０】本発明による統合セル探索器の第４実施例を示した図面である。
【符号の説明】
【００４８】
４００    統合探索器
４１    ＵＭＴＳコード生成器
４２    ＣＤＭＡ２０００コード生成器
４３    ＰＮ信号選択器
４４    相関器
４５    受信器
４６    ピーク感知器
【図１】
2004254326.tif 000003
【図２】
2004254326.tif 000004
【図３】
2004254326.tif 000005
【図４】
2004254326.tif 000006
【図５】
2004254326.tif 000007
【図６】
2004254326.tif 000008
【図７】
2004254326.tif 000009
【図８】
2004254326.tif 000010
【図９】
2004254326.tif 000011
【図１０】
2004254326.tif 000012